(57)【要約】      （修正有）【課題】大集会や災害用の軽便なるトイレを提供する。【解決手段】本体の、上面部辺に支持筒片を介して設けた支持枠体２の内部に、便器１３がその上部に臨ませて取付け出来る様に設けた２本の補強筒体を取外可能にして並列に設けて、該支持枠体２の左右の各内側面部例えば左側面部に４個の各取付片５を同じく取付片５の間隔をおいてそれぞれ取付けするとともに右側面部に左側部の取付片５の間隔内に係合する３個の各取付片５をそれぞれ取付ける。この支持枠体２の上部に汚物収容袋７をおいて、その開口部の左右部を横方にそれぞれ延長するとともに、先ずその各先端部を支持枠体２の左右の取付片５に係合する様に設けた小筒袋を開口して各支持筒をそれぞれ捜通してなる。【選択図】図１
0003189773.tif 000002
【実用新案登録請求の範囲】
【請求項１】
主体１の、中央部辺に臨ませた支持枠体２に、２本の補強体５ａ、５ｂを平行に設けるとともに、各支持筒７を介して４脚３を取付けして形成して、該支持枠体２に吊上支持筒９を設けた汚物収容袋体８を取付けて、主体１の周囲側面部に設けた各支持片１５を介して、覆面をして、支持枠体２の上面部に踏板板１４を取付けして、該踏板板１４上部に、便器１３を取付けしてなる、災害時におけるトイレ。
【請求項２】
本実用新案は、組立、解体自在に設けてあるので、一箱に収納できて、常備しておいて一旦災害等で、水道水が断水をして、総ての水洗トイレが断水すると、速かに組立をして使用し得るように構成したもので、請求項１記載の災害時におけるトイレ。
【考案の詳細な説明】
【技術分野】
【０００１】    本実用新案は、災害時における、断水時において、使用できる軽便なる、災害時におけるトイレに関する。
【背景技術】
【０００２】    一般家庭において、従来の水洗トイレは、水道が一旦断水になると、全く使用できないものである。【０００３】    上記の一般家庭以外でも、総て水洗トイレを使用しているところでは、ともに断水となると、全く同様に使用不能となるものである。
【技術分野１】
特許公報
【実用新案の概要】
【実用新案が解決しようとする課題】
【０００４】    以上述べた様に、従来より使用されてある、水洗トイレは、一旦災害等で断水になると、総て使用不能となるので、特に長期間にわたると、大いなる影響を及ぼす結果となって混乱に陥る。
【０００５】    本実用新案は、この様に従来の構成が有してある、水洗トイレの問題課題を解決しようとするものであり、如何なる断水時においても、有為に効果的に使用出来るものであり軽便なる、災害時におけるトイレを、実現することを目的とするものである。
【課題を解決する手段】
【０００６】    そして本実用新案は、上記目的を解決するために、組立、解体自在な軽便なる、災害時におけるトイレを、常時常備しておいて、災害時の非常時に、直ちに組立して、速かに使用し得ることが出来る様に構成したものである。
【０００７】    また、第２の問題解決は、場所を選ばずに設置出来て、なお使用後の処理が容易に処置できることである。
【０００８】    上記の第１の問題解決による作用は次の通りである、即ち、一旦災害にあったときには、直ちに組立が容易に出来て、断水時中使用可能なることである。
【０００９】    また第２の問題解決手段は、各家庭の構成に会ったものを容易しておけば、例えばそれぞれ一週間程度使用出来るものであるが、更に延長の必要がある時は、その使用された用便袋を容易に取出し、新たに用意された用便袋と取替え取付て、つづいてその後の期間中、使用できる様に成したるものである。
【発明の効果】
【００１０】    上記した様に、本実用新案は、災害時におけるトイレで、常備しておいて災害時には速容易に組立できて、使用し得る事の出来る、有為なる、災害時におけるトイレを提供できるものである。
【００１１】    また組立解体が容易なる、本実用新案は、一個の収納箱に収納してあり、室内に少しの空間があればそこに収納しておいて、非常時の際は直ちに取出して容易に組立できて、突沙の際でも速かに、その実用ができて効果を発揮することが出来るものである。
【図面の簡単な説明】
【００１２】
【図１】本実用新案の実施形態を示した、災害時におけるトイレの断面正面図
【図２】同災害時におけるトイレの枠体を示した上面図。
【図３】災害時におけるトイレの吊上げ前の形態を示した断面側面図。
【実用新案の実施するための形態】
【００１３】    以下、本実用新案の実施の形態を図に基いて詳細に説明する。
【００１４】    図において、１は主体で２は４脚３で支持された方形の支持枠体で、該支持枠体２の中央部辺に２個の補強筒４ａ、４ｂを並行して取付けするとともに、該補強筒４ａ、４ｂの向対する各各支持枠体２部に、それぞれ横Ｃ字状の取付片５を、一片を少しく長くするとともに他片を上面にむけて、各一片を該支持枠体２の各左右部に適当の間隔をおいて、交互なる様にして各々取付けて形成する。
【００１５】    この際、支持枠体２には、上記の４脚３を取付けする支持筒６を、該４脚３の各外部の一角にそれぞれ取付けて、４脚３をそれぞれ八方状に嵌合して設けられてある。
【００１６】    更に、図７は、汚物収容体で、方形の角形状の袋状体にして、支持枠体２の下部の４脚間に、該汚物状容袋体７の底部を地面上におくとともに、上部の角口部を支持枠体２の各補強筒４ａ、４ｂ間に通して、その開口部の左右端部を、各外方に延ばして水平に設けるとともに、後述する各端部に設けてある各取付片８をそれぞれ上記取付片５にそれぞれ引掛けして設けて取付けする。
【００１７】    この際、汚物収容袋体７の左右の各先端部を折返して第３図の袋状なる様に設けるとともに、この各袋状の先端部を重ね合わすと、１本の筒状を呈するよう、交互に各切込み８を開口して、開放すると１本の筒体９が出来る様になして、該筒体９に汚物収容袋体７を吊上げ支持する吊上支持筒１０を挿通し出来るようにして設ける。
【００１８】    こうして、この支持枠体２の上部に、中央部を開口部１１を設けた踏板１２を設けて、該踏板１２上に、便器１３を取付けて、形成して設置する。
【００１９】    図１４は復覆面板で主体１の周囲側面部に、支持枠体２の上部辺に設けた各支持杆１５を介して、上部に各々設けた引掛片１６を引掛して主体１の周囲部を覆面状になしておおって災害時におけるトイレを構成するものである。
【００２０】    こうして、組立をして設けた災害時におけるトイレは、断水期間中はいつでも安心して使用し得ることが出来る効果を発揮するのである。
【００２１】    上記に述べた様に、本実用新案は、一旦災害等に会って水道が断水になれば、容易に速やかに組立て出来るので、本実施形態によれば、断水期間中は、何時でも、誰でも安心して使用し得ることが出来る特徴を有するものである。
【符号の説明】
【００２２】    １・・・・・主体
２・・・・・支持体
３・・・・・４脚
４ａ、４ｂ・・・補強筒
７・・・・・汚物収容袋体
８・・・・・切込
１０・・・・吊上支持筒
１１・・・・開口部
１２・・・・踏板
１３・・・・便器
１４・・・・覆面板
【図１】
0003189773.tif 000003
【図２】
0003189773.tif 000004
【図３】
0003189773.tif 000005
【手続補正書】
【提出日】平成25年5月20日(2013.5.20)
【手続補正１】
【補正対象書類名】実用新案登録請求の範囲
【補正対象項目名】全文
【補正方法】変更
【補正の内容】
【実用新案登録請求の範囲】
【請求項１】
主体１の、中央部辺に臨ませた支持枠体２に、２本の筒状の補強体５ａ、５ｂを並行に設けるとともに、各筒状の支持筒７を介して４脚３を数合せし取付けし形成して、該支持枠体２に筒状の吊上支持筒１０を設けた汚物収容袋体７を取付けて、主体１の周囲側面部に設けた各支持杆１５を介して、平板で覆面をして、支持枠体２の上面部に厚板の踏板１２を取付けして、該踏板１２の上部に、便器１３を取付けしてなる組立て解体自在に設けてあって断水時に使用出来る、災害時における、トイレ。
【手続補正２】
【補正対象書類名】明細書
【補正対象項目名】全文
【補正方法】変更
【補正の内容】
【考案の詳細な説明】
【技術分野】
【０００１】    本実用新案は、災害時における断水時において、使用できる軽便なる災害時における、トイレに関する。
【背景技術】
【０００２】    一般家庭において、従来の水洗トイレは、水道が一旦断水になると、全く使用できないものである。【０００３】    上記の一般家庭以外でも、総て水洗トイレを使用しているところでは、ともに断水となると、全く同様に使用不可能となるものである。
【技術分野１】
特許公報
【実用新案の概要】
【実用新案が解決しようとする課題】
【０００４】    以上述べた様に、従来より使用されてある、水洗トイレは、一且災害等で断水になると、総て使用不能となるので、特に長期間にわたると、大いなる影響を及ぼす結果となって混乱に陥るものである。
【０００５】    本実用新案は、この様に従来の構成が有してある水洗トイレの問題課題を解決しようとするものであり、如何なる断水時においても有為に効果的に使用出来るものであり軽便なる、災害時におけるトイレを実現することを目的とするものである。
【課題を解決する手段】
【０００６】    そして本実用新案は、上記目的を解決するために組立、解体自在な軽便なる、災害時におけるトイレを常時常備しておいて、災害時の非常時に直ちに組立して、速かに使用し得ることが出来る様に構成したものである。
【０００７】    また、第２の問題解決は、場所を選ばずに設置出来て、なお使用後の処理が容易に処置できることである。
【０００８】    上記の第１の問題解決による作用は次の通りである、即ち一旦災害にあったときには直ちに組立が容易に出来て、断水時中使用可能なることである。
【０００９】    また第２の問題解決手段は、各家庭の構成に会ったものを容易しておけば、例えばそれぞれ一週間程度使用出来るものであるが、更に延長の必要がある時はその使用された用便袋を容易に取出し、新たに用意された用便袋と取替え取付て、つづいてその後の期間中使用できる様に成したるものである。
【発明の効果】
【００１０】    上記した様に、本実用新案は、災害時におけるトイレで常備しておいて災害時には速容易に組立できて、使用し得る事の出来る有為なる災害時におけるトイレを提供できるものである。
【００１１】    また組立解体が容易なる、本実用新案は、一個の収納箱に収納してあり、室内に少しの空間があればそこに収納しておいて、非常時の際は直ちに取出して容易に組立できて、突沙の際でも速かにその実用ができて効果を発揮することが出来るものである。
【図面の簡単な説明】
【００１２】
【図１】本実用新案の実施形態を示した、災害時におけるトイレの断面正面図
【図２】同災害時におけるトイレの枠体を示した上面図。
【図３】災害時におけるトイレの吊上げ前の形態を示した断面側面図。
【実用新案の実施するための形態】
【００１３】    以下、本実用新案の実施の形態を図に基いて詳細に説明する。
【００１４】    図において、１は主体で２は４脚３で支持された方形の支持枠体で、該支持枠体２の中央部辺に２個で筒状の２本の補強筒４ａ、４ｂを並行して取付けするとともに、該補強筒４ａ、４ｂの向対する各各支持枠体２部に、それぞれ横Ｃ字状の取付片５の一片を少しく長くするとともに他片を上面にむけて、各一片を該支持枠体２の各左右部に適当の間隔をおいて、交互なる様にして各々取付けて形成する。
【００１５】    この際、支持枠体２には、上記の４脚３を取付けする支持筒６を、該４脚３の各外部の一角にそれぞれ取付けて、４脚３をそれぞれ八方状に嵌合して設けられてある。
【００１６】    更に、図７は、汚物収容体で、方形の角形状の袋状体にして、支持枠体２の下部の４脚間に該汚物状容袋体７の底部を地面上におくとともに、上部の角口部を支持枠体２の各補強筒４ａ、４ｂ間に通して、その開口部の左右端部を、各外方に延ばして水平に設けるとともに、後述する各端部に設けてある各取付片８をそれぞれ上記取付角５にそれぞれ引掛けして設けて取付けする。
【００１７】    この際、汚物収容袋体７の左右の各先端部を折返して第３図の袋状なる様に設けるとともに、この各袋状の先端部を重ね合わすと、１本の筒状を呈するよう交互に各切込み８を開口して、開放すると１本の筒体９が出来る様になして、該筒体９に汚物収容袋体７を吊上げ支持する吊上支持筒１０を挿通して吊上げ出来るようにして設ける。
【００１８】    こうして、この支持枠体２の上部に、中央部に開口部１１を設けた踏板板１２を設けて、該踏板１２上に便器１３を取付けて形成して設置する。
【００１９】    図１４は平板の覆面板で主体１の周囲側面部に、支持枠体２の上部辺に設けた各支持杆１５を介して、上部に各々設けた引掛片１６を引掛して主体１の周囲部を覆面状におおって災害時におけるトイレを構成するものである。
【００２０】    こうして、組立をして設けた災害時におけるトイレは、断水期間中はいつでも安心して使用し得ることが出来る効果を発揮するのである。
【００２１】    上記に述べた様に、本実用新案は、一旦災害等に会って水道が断水になれば、容易に速やかに組立て出来るので、本実施形態によれば断水期間中は何時でも誰でも安心して使用し得ることが出来る特徴を有するものである。
【符号の説明】
【００２２】    １・・・・・主体
２・・・・・支持体
３・・・・・４脚
４ａ、４ｂ・・・補強筒
７・・・・・汚物収容袋体
８・・・・・切込
１０・・・・吊上支持筒
１１・・・・開口部
１２・・・・踏板板
１３・・・・便器
１４・・・・覆面板
【手続補正３】
【補正対象書類名】図面
【補正対象項目名】図３
【補正方法】変更
【補正の内容】
【図３】
0003189773.tif 000006
【手続補正書】
【提出日】平成25年8月21日(2013.8.21)
【手続補正１】
【補正対象書類名】実用新案登録請求の範囲
【補正対象項目名】全文
【補正方法】変更
【補正の内容】
【実用新案登録請求の範囲】
【請求項１】
本体の、上面部辺に支持筒片６を介して設けた支持枠体２の内部に、便器１３がその上部に臨ませて取付け出来る様に設けた２本の補強筒体４ａ、４ｂを取外可能にして並列に設けて、該支持枠体２の左右の各内側面部例えば左側面部に４個の各取付片５を同じく取付片５の間隔をおいてそれぞれ取付けするとともに右側面部に左側部の取付片５の間隔内に係合する３個の各取付片５をそれぞれ取付けして、この支持枠体２の上部に汚物収容袋７をおいて、その開口部の左右部を横方にそれぞれ延長するとともに、先ずその各先端部を支持枠体２の左右の取付片５に係合する様に設けた小筒袋９を開口して各支持筒１０をそれぞれ捜通してなる災害におけるトイレ。
【手続補正２】
【補正対象書類名】明細書
【補正対象項目名】全文
【補正方法】変更
【補正の内容】
【考案の詳細な説明】
【技術分野】
【０００１】  本発明は、大集会災害用における、軽便なる、トイレに関する。
【背景の分野】
【０００２】  従来より、大集会などには一般において、一般の水洗トイレ又はボックストイレなどを併用して使用しているか、男女共用のため、大変混み合うが多く、誰もが用便を我慢することを経験するものである。
【０００３】  また、従来より一般的な水洗トイレは、断水すると使用が不可能となる可能性があり、不便であった。
【０００４】  更に必要に応じて借入する際のボックストイレは運送などにおいて少しく不便な点もあった。
【０００５】  そこで本発明の軽便なるトイレは、組立解体が容易可能でかつ軽便のものにしたので、例えば軽トラック等での運送でも大量に悪路のところで便利に運送が出来るものである。
【先行技術文献】
【特許文献１】  特許願２０１０−９５４４５（特開２０１１−２１２４０４
【考案の概要】
【考案が解決しようとする課題】
【０００６】  以上にのべた様に、従来の一般の水洗トイレは男女共用で使用するものであるので、大集会等では非常に混雑する場合があった。【０００７】  本発明は、この様な従来の構成が有していた問題を解決しようとするものであり、大集会の際には用意してある男子用の軽便なるトイレを利用を出来るので、大混乱時には速かに取出し組立して設置出来るトイレの実現を目的としている。
【問題を解決するための手段】
【０００８】  本発明は、上記の目的を達成するために、一般のトイレに代って、折畳が出来て解体も自在で容易に出来て、かつ軽量であるので、小型の軽トラックなどにも積載できて、悪路でも容易に運送できて、小面積の場所でも積載保存が容易になるように設けたものである。
【０００９】  また問題解決の更なる作用は、一度使用しても、水洗清浮して保管しておけば何度でも使用が可能であることである。
【発明の効果】
【００１０】  上記の様に、本発明は、構成する人数に相当と思われる数量を確保しておいて、大集会や特に一度、大災害が発生した際には、速やかに組立て提供し利用出来る。
【００１１】  また使用後の処置は、一般トイレや、ボックストイレと同様にも出来るが、本発明は使用後、汚物用袋の前後の用布に裏部より折分けするとともに、図示してない外側部を折合せ持上ると帯上用の孔口が係合して開口するので、これを処理場に運送するなどして処理できるものである。
【発明の効果】
【００１２】  上記のように本発明は、特に男子用トイレは、その人数に見合う適当数と思われる数量を用意しておいて、大集合や災害時には、男子用としてのみならず、混乱なく使用できる様に形成してあるものである。
【００１３】  この際、トイレは後述する様に簡単な囲いを設置し使用できる様に設けてある。
【００１４】  また使用後の処理は、一般トイレや、ボックストイレと同様に処理できるが、図において、１は主体で２は４脚３で支持された方形の支持枠体で、該支持枠体２の中央部辺に２個の補強筒４ａ、４ｂを並行して取付けするとともに、該補強筒４ａ、４ｂの向対する各各支持枠体２部に、それぞれ横Ｃ字状の取付片５を、一片を少しく長くするとともに他片を上面にむけて、各一片を該支持枠体２の各左右部に適当の間隔をおいて、交互なる様にして各々取付けて形成する。
【００１５】    この際、支持枠体２には、上記の４脚３を取付けする支持筒６を、該４脚３の各外部の一角にそれぞれ取付けて、４脚３をそれぞれ八方状に嵌合して設けられてある。
【００１６】    更に、図７は、汚物収容体で、方形の角形状の袋状体にして、支持枠体２の下部の４脚間に、該汚物状容袋体７の底部を地面上におくとともに、上部の角口部を支持枠体２の各補強筒４ａ、４ｂ間に通して、その開口部の左右端部を、各外方に延ばして水平に設けるとともに、後述する各端部に設けてある各取付片８をそれぞれ上記取付    にそれぞれ引掛けして設けて取付けする。
【００１７】    この際、汚物収容袋体７の左右の各先端部を折返して第３図の袋状なる様に設けるとともに、この各袋状の先端部を重ね合わすと、１本の筒状を呈するよう、交互に各切込み８を開口して、開放すると１本の筒体９が出来る様になして、該筒体９に汚物収容袋体７を吊上げ支持する吊上支持筒１０を挿通し出来るようにして設ける。
【００１８】    こうして、この支持枠体２の上部に、中央部を開口部１１を設けた踏板１２を設けて、該踏板１２上に、便器１３を取付けて、形成して設置する。
【００１９】    図１４は復覆面板で主体１の周囲側面部に、支持枠体２の上部辺に設けた各支持杆１５を介して、上部に各々設けた引掛片１６を引掛して主体１の周囲部を覆面状になしておおって災害時におけるトイレを構成するものである。
【００２０】    こうして、組立式に設けた災害時におけるトイレは、断水期間中はいつでも安心して使用し得ることが出来る効果を発揮するのである。
【００２１】    上記に述べた様に、本実用新案は、一旦災害等に会って水道が断水になれば、容易に速やかに組立て出来て、断水期間中は何時でも誰でも安心して飲用し得ることが出来る特徴を有するものである。
【図面の簡単な説明】
【００２２】
【図１】本実用新案の実施形態を示した、災害時におけるトイレの断面正面図
【図２】同災害時におけるトイレの枠体を示した上面図。
【図３】災害時におけるトイレの吊上げ前の形態を示した断面側面図。
【符号の説明】
【００２３】１・・・・・主体
２・・・・・支持枠体
３・・・・・４脚
４ａ、４ｂ・・・補強筒体
７・・・・・汚物収容袋
８ａ、１０ｂ・・・支持筒
９・・・・・小筒袋
１１・・・・開口部
１２・・・・踏板板
１３・・・・便器
１４・・・・覆面板
【手続補正３】
【補正対象書類名】図面
【補正対象項目名】図１
【補正方法】変更
【補正の内容】
【図１】
0003189773.tif 000007
【手続補正４】
【補正対象書類名】図面
【補正対象項目名】図２
【補正方法】変更
【補正の内容】
【図２】
0003189773.tif 000008